(57)【要約】【課題】  各部構造を調整可能なコンピュータラックの提供。【解決手段】  相互に接続された横棒と伸縮縦棒を具え、該横棒が伸縮縦棒を軸として回転可能である可動サポートフレームと、該横棒にスライド自在に嵌合されたマウスボードと、該横棒にスライド自在に嵌合され、両側の間の幅を自由に調整できるディスプレイホルダと、該横棒にスライド自在に嵌合されてその前後間距離を自由に調整できるキーボードホルダと、伸縮縦棒の伸縮部分、該マウスボードの嵌合部分、ディスプレイホルダの嵌合部分、キーボードホルダの前後距離調整部分にそれぞれ設けられて位置決めに供される複数の位置決め装置と、を具えている。【選択図】        図２
2006223364.tif 000002
【特許請求の範囲】
【請求項１】
可動サポートフレーム、マウスボード、ディスプレイホルダ、キーボードホルダ、複数の位置決め部品を具え、
該可動サポートフレームは相互に一端が接続された横棒と伸縮縦棒を具え、該横棒が伸縮縦棒を軸として回転可能であり、
該マウスボードはスライド自在に該横棒に嵌合され、
該ディスプレイホルダはスライド自在に該横棒に嵌合され、その両側間の幅が調整自在とされ、
該キーボードホルダはスライド自在に該横棒に嵌合され、その前後間の距離が調整自在とされ、
該複数の位置決め部品は該伸縮縦棒の伸縮部分、該マウスボードの嵌合部分、該ディスプレイホルダの嵌合部分、該キーボードホルダの前後距離調整部分に設けられて位置決めに供されることを特徴とする、コンピュータラック。
【請求項２】
請求項１記載のコンピュータラックにおいて、可動サポートフレームに底座が設けられ、その伸縮縦棒の自由端が該底座に垂直に接続され、該底座上に隔板が設けられ、該隔板がそれと伸縮縦棒との間の距離を調整自在とされたことを特徴とする、コンピュータラック。
【請求項３】
請求項１記載のコンピュータラックにおいて、可動サポートフレームの伸縮縦棒が外棒、及び該外棒内に挿入された内棒を具え、該内棒の一端に溝が設けられ、位置決め部品が外棒より内棒の溝内の任意の位置に挿入されて緊迫位置決めを形成することを特徴とする、コンピュータラック。
【請求項４】
請求項１記載のコンピュータラックにおいて、可動サポートフレームの横棒の一端と接続される端部に挿入口が設けられ、該横棒の一端に折り曲げ部が設けられ、該横棒の折り曲げ部が伸縮縦棒の挿入口内に挿入され、並びにネジ部品が伸縮縦棒のこの端に設けられた溝より該折り曲げ部にねじ込まれて回転角度の制限を有することを特徴とする、コンピュータラック。
【請求項５】
請求項１記載のコンピュータラックにおいて、ディスプレイホルダは一対のサイドフレーム、該一対のサイドフレームの一端の間に接続された伸縮横管、及び一対の接続部品を具え、各接続部品は切欠き部と嵌合体を具え、該ディスプレイホルダの伸縮横管が各接続部品の切欠き部内に嵌め込まれて固定され、且つ該伸縮横管と切欠き部の間に位置決め部品が設けられ、該ディスプレイホルダは一対の接続部品の各嵌合体を利用して横棒に嵌合されることを特徴とする、コンピュータラック。
【請求項６】
請求項５記載のコンピュータラックにおいて、ディスプレイホルダの一対のサイドフレームの間に複数の収束帯が接続され、該一対のサイドフレーム間の距離を収束することを特徴とする、コンピュータラック。
【請求項７】
請求項５記載のコンピュータラックにおいて、ディスプレイホルダの伸縮横管がそのうち一方のサイドフレームに接続された外管と、そのうちのもう一方のサイドフレームに接続された内管を具え、該内管が該外管内に挿入されて一対のサイドフレームの間の挟持距離が伸縮横管により調整されることを特徴とする、コンピュータラック。
【請求項８】
請求項５記載のコンピュータラックにおいて、ディスプレイホルダの各接続部品の嵌合体が溝を具え、ネジ形式の位置決め部品がこの溝より挿入され並びに嵌合体内の横棒にねじ込まれることを特徴とする、コンピュータラック。
【請求項９】
請求項１記載のコンピュータラックにおいて、キーボードホルダが一対のホルダフレームと一対の伸縮管を具え、該一対のホルダフレームの一端が嵌合体とされて横棒に嵌合され、該一対のホルダフレームの別端より伸縮管が突出し、該一対の伸縮管の自由端にストッパ板が接続され、該一対の伸縮管が該一対のホルダフレームの別端と該ストッパ板の間の距離を伸縮調整可能であることを特徴とする、コンピュータラック。
【請求項１０】
請求項９記載のコンピュータラックにおいて、キーボードホルダの各伸縮管が相互に嵌合されて一体とされた外管、内管を具え、位置決め部品がキーボードホルダの外管より挿入されてキーボードホルダの内管に圧接し位置決めすることを特徴とする、コンピュータラック。
【請求項１１】
請求項９記載のコンピュータラックにおいて、キーボードホルダの一対のホルダフレームの、横棒に嵌合された嵌合体の間に二つの連接棒が接続され、複数の位置決め部品がホルダフレームの嵌合体底側より挿入され横棒に圧接し位置決めすることを特徴とする、コンピュータラック。
【請求項１２】
請求項１記載のコンピュータラックにおいて、各位置決め部品がネジ部品とされたことを特徴とする、コンピュータラック。
【請求項１３】
請求項１記載のコンピュータラックにおいて、複数の配線整理構造を具え、各配線整理構造は複数の双頭クランプと複数のＣ型管を具え、各双頭クランプの一頭が伸縮縦棒及び又は横棒を挟持し、各双頭クランプのもう一頭がＣ型切欠きを具えたＣ型管を挟持し、各Ｃ型管内に整理が必要な線材が収容され、各Ｃ型管が双頭クランプの別の一頭にあって回転させられて各Ｃ型管のＣ型切欠きが伸縮縦棒と横棒に隣接させられることで、線材が内蔵されることを特徴とする、コンピュータラック。
【発明の詳細な説明】
【技術分野】
【０００１】
本発明は一種のコンピュータラックに係り、各部の構造がいずれも調整可能で、座った姿勢以外の任意の操作姿勢に適用される全機能コンピュータラックに関する。
【背景技術】
【０００２】
コンピュータは既に現代人にとって不可欠の電子製品となっており、学校、家庭生活、或いはオフィス等、どこでもコンピュータが使用されている。
【０００３】
しかし、コンピュータを置くコンピュータラック或いはコンピュータテーブルはその形式と機能が固定されており、個人の必要により調整することができず、且つ座った姿勢でしか使用できず、制限がある。例えばベッドに横たわる使用者にとっては、周知のコンピュータラック或いはコンピュータテーブルは使用できない。
【発明の開示】
【発明が解決しようとする課題】
【０００４】
本発明の主要な目的は、一種の全機能コンピュータラックを提供することにあり、それは、コンピュータラックの各部の構造が自由に調整でき、使用者の各種要求に符合させることができ、ベッドに横たわった人も使用でき、全機能の効果を有するものとする。
【０００５】
上述の目的を達成するため、本発明のコンピュータラックは、
一端が相互に接続された横棒と伸縮縦棒を具え、該横棒が伸縮縦棒を軸として回転可能である可動サポートフレームと、
該横棒にスライド自在に嵌合されたマウスボードと、
該横棒にスライド自在に嵌合され、両側の間の幅を自由に調整できるディスプレイホルダと、
該横棒にスライド自在に嵌合されてその前後間距離を自由に調整できるキーボードホルダと、
伸縮縦棒の伸縮部分、該マウスボードの嵌合部分、ディスプレイホルダの嵌合部分、キーボードホルダの前後距離調整部分にそれぞれ設けられて位置決めに供される複数の位置決め装置と、
を具えている。
【課題を解決するための手段】
【０００６】
請求項１の発明は、可動サポートフレーム、マウスボード、ディスプレイホルダ、キーボードホルダ、複数の位置決め部品を具え、
該可動サポートフレームは相互に一端が接続された横棒と伸縮縦棒を具え、該横棒が伸縮縦棒を軸として回転可能であり、
該マウスボードはスライド自在に該横棒に嵌合され、
該ディスプレイホルダはスライド自在に該横棒に嵌合され、その両側間の幅が調整自在とされ、
該キーボードホルダはスライド自在に該横棒に嵌合され、その前後間の距離が調整自在とされ、
該複数の位置決め部品は該伸縮縦棒の伸縮部分、該マウスボードの嵌合部分、該ディスプレイホルダの嵌合部分、該キーボードホルダの前後距離調整部分に設けられて位置決めに供されることを特徴とする、コンピュータラックとしている。
請求項２の発明は、請求項１記載のコンピュータラックにおいて、可動サポートフレームに底座が設けられ、その伸縮縦棒の自由端が該底座に垂直に接続され、該底座上に隔板が設けられ、該隔板がそれと伸縮縦棒との間の距離を調整自在とされたことを特徴とする、コンピュータラックとしている。
請求項３の発明は、請求項１記載のコンピュータラックにおいて、可動サポートフレームの伸縮縦棒が外棒、及び該外棒内に挿入された内棒を具え、該内棒の一端に溝が設けられ、位置決め部品が外棒より内棒の溝内の任意の位置に挿入されて緊迫位置決めを形成することを特徴とする、コンピュータラックとしている。
請求項４の発明は、請求項１記載のコンピュータラックにおいて、可動サポートフレームの横棒の一端と接続される端部に挿入口が設けられ、該横棒の一端に折り曲げ部が設けられ、該横棒の折り曲げ部が伸縮縦棒の挿入口内に挿入され、並びにネジ部品が伸縮縦棒のこの端に設けられた溝より該折り曲げ部にねじ込まれて回転角度の制限を有することを特徴とする、コンピュータラックとしている。
請求項５の発明は、請求項１記載のコンピュータラックにおいて、ディスプレイホルダは一対のサイドフレーム、該一対のサイドフレームの一端の間に接続された伸縮横管、及び一対の接続部品を具え、各接続部品は切欠き部と嵌合体を具え、該ディスプレイホルダの伸縮横管が各接続部品の切欠き部内に嵌め込まれて固定され、且つ該伸縮横管と切欠き部の間に位置決め部品が設けられ、該ディスプレイホルダは一対の接続部品の各嵌合体を利用して横棒に嵌合されることを特徴とする、コンピュータラックとしている。
請求項６の発明は、請求項５記載のコンピュータラックにおいて、ディスプレイホルダの一対のサイドフレームの間に複数の収束帯が接続され、該一対のサイドフレーム間の距離を収束することを特徴とする、コンピュータラックとしている。
請求項７の発明は、請求項５記載のコンピュータラックにおいて、ディスプレイホルダの伸縮横管がそのうち一方のサイドフレームに接続された外管と、そのうちのもう一方のサイドフレームに接続された内管を具え、該内管が該外管内に挿入されて一対のサイドフレームの間の挟持距離が伸縮横管により調整されることを特徴とする、コンピュータラックとしている。
請求項８の発明は、請求項５記載のコンピュータラックにおいて、ディスプレイホルダの各接続部品の嵌合体が溝を具え、ネジ形式の位置決め部品がこの溝より挿入され並びに嵌合体内の横棒にねじ込まれることを特徴とする、コンピュータラックとしている。
請求項９の発明は、請求項１記載のコンピュータラックにおいて、キーボードホルダが一対のホルダフレームと一対の伸縮管を具え、該一対のホルダフレームの一端が嵌合体とされて横棒に嵌合され、該一対のホルダフレームの別端より伸縮管が突出し、該一対の伸縮管の自由端にストッパ板が接続され、該一対の伸縮管が該一対のホルダフレームの別端と該ストッパ板の間の距離を伸縮調整可能であることを特徴とする、コンピュータラックとしている。
請求項１０の発明は、請求項９記載のコンピュータラックにおいて、キーボードホルダの各伸縮管が相互に嵌合されて一体とされた外管、内管を具え、位置決め部品がキーボードホルダの外管より挿入されてキーボードホルダの内管に圧接し位置決めすることを特徴とする、コンピュータラックとしている。
請求項１１の発明は、請求項９記載のコンピュータラックにおいて、キーボードホルダの一対のホルダフレームの、横棒に嵌合された嵌合体の間に二つの連接棒が接続され、複数の位置決め部品がホルダフレームの嵌合体底側より挿入され横棒に圧接し位置決めすることを特徴とする、コンピュータラックとしている。
請求項１２の発明は、請求項１記載のコンピュータラックにおいて、各位置決め部品がネジ部品とされたことを特徴とする、コンピュータラックとしている。
請求項１３の発明は、請求項１記載のコンピュータラックにおいて、複数の配線整理構造を具え、各配線整理構造は複数の双頭クランプと複数のＣ型管を具え、各双頭クランプの一頭が伸縮縦棒及び又は横棒を挟持し、各双頭クランプのもう一頭がＣ型切欠きを具えたＣ型管を挟持し、各Ｃ型管内に整理が必要な線材が収容され、各Ｃ型管が双頭クランプの別の一頭にあって回転させられて各Ｃ型管のＣ型切欠きが伸縮縦棒と横棒に隣接させられることで、線材が内蔵されることを特徴とする、コンピュータラックとしている。
【発明の効果】
【０００７】
本発明は、一種の全機能コンピュータラックを提供し、それは、コンピュータラックの各部の構造が自由に調整でき、使用者の各種要求に符合させることができ、ベッドに横たわった人も使用でき、全機能の効果を有する。
【発明を実施するための最良の形態】
【０００８】
図１から図１７に示されるように、本発明のコンピュータラックは可動サポートフレーム１００、マウスボード４、ディスプレイホルダ５００、キーボードホルダ８００を具えている。
【０００９】
該可動サポートフレーム１００は、底座１、外棒２１、内棒２２を具えた伸縮縦棒２、及び横棒３を具えている。該底座１は、溝１１を具え、該溝１１に隔板１２がネジ部品を利用して螺子止めされ、該隔板１２の所在位置調整の機能を具備するものとされる。
【００１０】
該伸縮縦棒２は、その内棒２２が底座１に垂直に接続され、外棒２１は該内棒２２外部に嵌合されて伸縮自在とされ（図４）、且つ内棒２２の一端に溝２２２が設けられ、ネジ部品が外棒２１外部より内部の溝２２２の任意の部分にねじ込まれて締めつけられ、これにより伸縮縦棒２の伸縮長さが位置決めされる。また、外棒２１の一端に溝２２１が開設され、該横棒３の一端は折り曲げ部３３を具え、該折り曲げ部３３は該外棒２１の該端に挿入され、ねじ部品が溝２２１より該折り曲げ部３３に螺嵌され、該横棒３の回転角度を制限し、該横棒３はこれにより回転可能とされ（図３）、且つその回転角度は溝２２１の制限を受ける。このほか、外棒２１にピン２１２が挿通されて前述の折り曲げ部３３の挿入深さを制限する。
【００１１】
該横棒３は、溝３１を具え、且つ折り曲げ部３３と反対の端に装飾部品３２を具えている。
【００１２】
該マウスボード４は、嵌合体４１を粗な瀬、該マウスボード４は該嵌合体４１により該横棒３に嵌合され、並びに嵌合体４１より横棒３の溝３１にねじ込まれるネジ部品により（ネジ部品が弛められた状態で）マウスボード４が図９に示されるように溝３１に沿って横向きに移動可能とされ、並びに適当な位置に調整された後に該ネジ部品が締めつけられて位置決めされる。
【００１３】
該ディスプレイホルダ５００は、一対のサイドフレーム５と、外管６１、内管６２を具えた伸縮横管６と、一対の接続部品７を具えている。該一対のサイドフレーム５は、その間に複数の収束帯５１が接続され、該一対のサイドフレーム５の間にディスプレイを収容する時、該収束帯５１の収束によりディスプレイを該一対のサイドフレーム５の間に緊密に挟持することができる。
【００１４】
該伸縮横管６は、一対のサイドフレーム５の一端の間に接続され、且つ外管６１が一方のサイドフレーム５に接続され、内管６２がもう一方のサイドフレーム５に接続され、これにより該一対のサイドフレーム５の間の挟持距離が伸縮横管６により調整可能とされる（図９）。各接続部品７は切欠き部７１と嵌合体７２を具え、該嵌合体７２は溝７２１を具え、該ディスプレイホルダ５００の伸縮横管６が各接続部品７の切欠き部７１内に嵌め込まれ、更にネジ部品のねじ込みにより緊迫固定され、これにより該接続部品７のディスプレイホルダ５００への固定が達成される。該ディスプレイホルダ５００は並びに一対の接続部品７の各嵌合体７２により前述の横棒３に嵌合されて並びに嵌合後にネジ部品（図７では左から右にねじ込まれるネジ部品）が溝７２１より横棒３がねじ込まれ、並びに仰角俯角調整後に、更に締めつけられることで、溝７２１がディスプレイホルダ５００の仰角俯角制限の根拠とされ（図７、８）、更に図２に示されるように、ネジ部品が更に前述の装飾部品にねじ込まれる。
【００１５】
該キーボードホルダ８００は一対のホルダフレーム８、及び一対の外管９１、内管９２を具えた伸縮管９を具えている。該一対のホルダフレーム８は、その一端が嵌合体８１とされ、且つ該端の間に二つの連接棒８２が接続され、該一対のホルダフレーム８の別端より該伸縮管９が突出し、該一対の伸縮管９の自由端の間にストッパ板９３が接続され、該一対の伸縮管９の伸縮を利用して該一対のホルダフレーム８の該別端と該ストッパ板９３の間の距離が調整され（図９）、この距離がキーボードを挟持する（図１２）か或いはノートブック型コンピュータを挟持する（図１３）のに供される。該キーボードホルダ８００の各伸縮管９はいずれもネジ部品が外管９１からねじ込まれて内管９２に圧接することにより伸縮管９の長さの位置決めが達成される。該キーボードホルダ８００は並びにそのホルダフレーム８の各嵌合体８１により前述の横棒３に嵌合され、適当な位置に調整された後、複数のネジ部品が嵌合体８１の底側より横棒３に圧接することで、その調整後の位置の緊迫位置決めが達成される。更に図１０、図１１に示されるように、キーボードホルダ８００はネジ部品を弛めた状態で、上向きに回して図１０に示される上向きの折り畳み状態を形成するか、或いは下向きに回して図１１に示される水平な状態を形成できる。
【００１６】
該隔板１２と伸縮縦棒２の間の距離調整により、各種サイズのコンピュータを置くことができる（図５、６）。
【００１７】
図１２に示される第１種の実施方式によると、可動サポートフレーム１００の隔板１２と伸縮縦棒２の間にコンピュータが位置決めされ、更にマウスボード４の上にマウスが置かれ、ディスプレイホルダ５００にディスプレイが挟持され、該キーボードホルダ８００の上にキーボードが挟持されている。
【００１８】
図１３に示される第２種の実施方式によると、キーボードホルダ８００の上にノートブック型コンピュータが挟持され、必要時には、該マウスボード４の上にマウスが置かれる。
【００１９】
図１４に示される第１種の使用方式によると、使用者は本発明のコンピュータラックを図１２に示される状態に調整すれば椅子に座って操作できる。
【００２０】
図１５に示される第２種の使用方式によると、使用者はベッドに横たわった状態で操作でき、これはディスプレイホルダ５００とキーボードホルダ８００の仰角俯角を適当に調整すればよく、多くの場合、更に可動サポートフレーム１００の伸縮縦棒２の伸縮長さを調整する。使用者が身体を起こしたい時は、ただ可動サポートフレーム１００を押動してその横棒３を図３に示されるように回転させて、横棒３を使用者が身体を起こす範囲外とすれば使用者は身体を起こすことができる。これらはいずれも一つの実施例或いはそのうちの一つの使用方式に過ぎず、本発明は各部構造を調整でき、各使用者の各種要求に符合させることができ、いわゆる全機能のコンピュータラックとされている。
【００２１】
また図１６、１７に示される配線整理構造において、複数の双頭クランプ２５及び複数のＣ型管２６が設けられ、各双頭クランプ２５の一頭は伸縮縦棒２と横棒３を挟持し、各双頭クランプ２５のもう一側はＣ型管２６を挟持し、各Ｃ型管２６内にそのＣ型切欠きにより配線に必要な各種線材が収容される（図１６）。各線材を図１６に示されるように、Ｃ型切欠きより露出させないため、各双頭クランプ２５のもう一頭が回転させられることで、各Ｃ型管２６のＣ型切欠きを伸縮縦棒２と横棒３に隣接させて内蔵することができる（図１７）。
【００２２】
図１８は本発明のコンピュータラックを左ききの人用に調整する時の立体図である。その調整方式は、マウスボード４、ディスプレイホルダ５００、及びキーボードホルダ８００を正、反を逆に横棒３に取り付ければ、マウスボード４を左ききの人に適した情況に位置させることができる。以上から分かるように、本発明のコンピュータラックはどのような使用者にも適用され、左ききの人にも適用される。
【００２３】
総合すると、本発明のコンピュータラックは周知のコンピュータラック或いはコンピュータテーブルの欠点を解決し、並びに上述の機能を達成でき、産業上の利用価値、新規性及び機能上の進歩性を有している。なお、以上の実施例は本発明の実施範囲を限定するものではなく、以上の実施例に基づきなしうる細部の修飾或いは改変は、いずれも本発明の請求範囲に属するものとする。
【図面の簡単な説明】
【００２４】
【図１】本発明の立体分解図である。
【図２】本発明の立体組合せ図である。
【図３】本発明の可動サポートフレームの回転動作図である。
【図４】本発明の可動サポートフレームの伸縮動作図である。
【図５】本発明の可動サポートフレームに小型コンピュータを架設した表示図である。
【図６】本発明の可動サポートフレームに大型コンピュータを架設した表示図である。
【図７】本発明のディスプレイホルダの角度調整断面図（一）である。
【図８】本発明のディスプレイホルダの角度調整断面図（二）である。
【図９】本発明のディスプレイホルダ、キーボードホルダ及びマウスボードの調整動作立体表示図である。
【図１０】本発明のキーボードホルダを上向きに折り畳んだ立体図である。
【図１１】本発明のキーボードホルダを下向きに回して水平とした表示図である。
【図１２】本発明の第１種の実施方式図である。
【図１３】本発明の第２種の実施方式図である。
【図１４】本発明の第１種の使用方式図である。
【図１５】本発明の第２種の使用方式図である。
【図１６】本発明の配線整理構造の完成前の立体図である。
【図１７】本発明の配線整理構造の完成後の立体図である。
【図１８】本発明を左利きの人に合わせて調整する時の立体図である。
【符号の説明】
【００２５】
１００  可動サポートフレーム
１  底座
１１  溝
１２  隔板
２  伸縮縦棒
２１  外棒                  ２１２  ピン
２２  内棒
２２１  溝                  ２２２  溝
２５  双頭クランプ          ２６  Ｃ型管
３  横棒
３１  溝                    ３２  装飾部品
３３  折り曲げ部
４  マウスボード            ４１  嵌合体
５００  ディスプレイホルダ
５  サイドフレーム          ５１  収束帯
６  伸縮横管
６１  外管                  ６２  内管
７  接続部品
７１  切欠き部              ７２  嵌合体
７２１  溝
８００  キーボードホルダ
８  ホルダフレーム
８１  嵌合体                ８２  連接棒
９  伸縮管
９１  外管                  ９２  内管
９３  ストッパ板
【図１】
2006223364.tif 000003
【図２】
2006223364.tif 000004
【図３】
2006223364.tif 000005
【図４】
2006223364.tif 000006
【図５】
2006223364.tif 000007
【図６】
2006223364.tif 000008
【図７】
2006223364.tif 000009
【図８】
2006223364.tif 000010
【図９】
2006223364.tif 000011
【図１０】
2006223364.tif 000012
【図１１】
2006223364.tif 000013
【図１２】
2006223364.tif 000014
【図１３】
2006223364.tif 000015
【図１４】
2006223364.tif 000016
【図１５】
2006223364.tif 000017
【図１６】
2006223364.tif 000018
【図１７】
2006223364.tif 000019
【図１８】
2006223364.tif 000020